【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
遊技領域を有する遊技板部及び該遊技板部の裏面側にて演出部材を配置可能な領域を有する裏部材が少なくとも設けられる遊技演出ユニットと、
賞球として払い出される遊技球を貯留可能なタンク部と、
前記タンク部よりも後方側の位置まで遊技球が導かれるように、前記タンク部から後方側に延設されるかたちで形成された後方延設部と、
前記タンク部よりも後方側の位置にて前記後方延設部から遊技球の供給を受けるとともに該後方延設部からの遊技球を下流側へと流下させる横方向通路、及び、該横方向通路からの遊技球を下流側へと流下させる高さ方向通路を有する球通路と、
前記球通路中に設けられ、遊技の進行に応じて遊技球を払い出す払出装置と、
前記遊技板部が収容される前側壁部を少なくとも有する枠体と、
を備えており、
前記枠体は、前記高さ方向通路が前記前側壁部よりも後方に配されるように該前側壁部の後方にさらに後側壁部を有するとともに、前記遊技板部が前記前側壁部に収容されるときには該遊技板部と自ずと電気的にも接続されうるように、該遊技板部の後側に設けられている第１のドロワコネクタと嵌合可能とされる第２のドロワコネクタを有し、
前記球通路は、前記高さ方向通路からの遊技球を、前記枠体よりも前方側にある貯留皿まで転動させる奥行き方向通路をさらに有するとともに、
前記第２のドロワコネクタは、前記奥行き方向通路に対し、前方から見て相対的に右側に配置されており、
前記枠体の後方には、前記横方向通路及び前記高さ方向通路を構成するそれぞれの部材に沿うかたちでの開口部が設けられるとともに、
前記開口部は、後方正面視で前記後方延設部を左側に超える位置まで設けられてなる
ことを特徴とする遊技機。
【請求項２】
所定の表示演出が行われる演出表示装置をさらに備える
請求項１に記載の遊技機。
【請求項３】
前記演出表示装置は液晶表示器である
請求項２に記載の遊技機。
【手続補正２】
【補正対象書類名】明細書
【補正対象項目名】０００１
【補正方法】変更
【補正の内容】
【０００１】
本発明は、ぱちんこ遊技機（一般的に「パチンコ機」とも称する）等の遊技機に関するものである。
【手続補正３】
【補正対象書類名】明細書
【補正対象項目名】０００２
【補正方法】変更
【補正の内容】
【０００２】
従来より、遊技機としてのパチンコ遊技機は、遊技の進行を制御する主制御基板（主制御手段）、演出動作を制御するサブ制御基板（サブ制御手段）、液晶表示器の描画制御を行う図柄制御手段（液晶制御手段）を備えて構成されている。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】変更
【補正の内容】
【０００８】
【特許文献１】特許第３２０１７５４号公報
【手続補正１０】
【補正対象書類名】明細書
【補正対象項目名】０００９
【補正方法】変更
【補正の内容】
【０００９】
このような遊技機では、各種部品が配される空間を確保することが望まれている。
【手続補正１１】
【補正対象書類名】明細書
【補正対象項目名】００１０
【補正方法】変更
【補正の内容】
【００１０】
本発明は、各種部品が配される空間を確保することを目的とする。
【手続補正１２】
【補正対象書類名】明細書
【補正対象項目名】００１１
【補正方法】変更
【補正の内容】
【００１１】
請求項１に記載の遊技機は、遊技領域を有する遊技板部及び該遊技板部の裏面側にて演出部材を配置可能な領域を有する裏部材が少なくとも設けられる遊技演出ユニットと、賞球として払い出される遊技球を貯留可能なタンク部と、前記タンク部よりも後方側の位置まで遊技球が導かれるように、前記タンク部から後方側に延設されるかたちで形成された後方延設部と、前記タンク部よりも後方側の位置にて前記後方延設部から遊技球の供給を受けるとともに該後方延設部からの遊技球を下流側へと流下させる横方向通路、及び、該横方向通路からの遊技球を下流側へと流下させる高さ方向通路を有する球通路と、前記球通路中に設けられ、遊技の進行に応じて遊技球を払い出す払出装置と、前記遊技板部が収容される前側壁部を少なくとも有する枠体と、を備えており、前記枠体は、前記高さ方向通路が前記前側壁部よりも後方に配されるように該前側壁部の後方にさらに後側壁部を有するとともに、前記遊技板部が前記前側壁部に収容されるときには該遊技板部と自ずと電気的にも接続されうるように、該遊技板部の後側に設けられている第１のドロワコネクタと嵌合可能とされる第２のドロワコネクタを有し、前記球通路は、前記高さ方向通路からの遊技球を、前記枠体よりも前方側にある貯留皿まで転動させる奥行き方向通路をさらに有するとともに、前記第２のドロワコネクタは、前記奥行き方向通路に対し、前方から見て相対的に右側に配置されており、前記枠体の後方には、前記横方向通路及び前記高さ方向通路を構成するそれぞれの部材に沿うかたちでの開口部が設けられるとともに、前記開口部は、後方正面視で前記後方延設部を左側に超える位置まで設けられてなるものである。
請求項２に記載の遊技機は、請求項１において、所定の表示演出が行われる演出表示装置をさらに備えるものである。
請求項３に記載の遊技機は、請求項２において、前記演出表示装置は液晶表示器である。
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】削除
【補正の内容】
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】削除
【補正の内容】
【手続補正１８】
【補正対象書類名】明細書
【補正対象項目名】００１７
【補正方法】削除
【補正の内容】
【手続補正１９】
【補正対象書類名】明細書
【補正対象項目名】００１８
【補正方法】削除
【補正の内容】
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】削除
【補正の内容】
【手続補正２２】
【補正対象書類名】明細書
【補正対象項目名】００２１
【補正方法】削除
【補正の内容】
【手続補正２３】
【補正対象書類名】明細書
【補正対象項目名】００２２
【補正方法】削除
【補正の内容】
【手続補正２４】
【補正対象書類名】明細書
【補正対象項目名】００２３
【補正方法】削除
【補正の内容】
【手続補正２５】
【補正対象書類名】明細書
【補正対象項目名】００２４
【補正方法】削除
【補正の内容】
【手続補正２６】
【補正対象書類名】明細書
【補正対象項目名】００２５
【補正方法】削除
【補正の内容】
【手続補正２７】
【補正対象書類名】明細書
【補正対象項目名】００２６
【補正方法】削除
【補正の内容】
【手続補正２８】
【補正対象書類名】明細書
【補正対象項目名】００２７
【補正方法】削除
【補正の内容】
【手続補正２９】
【補正対象書類名】明細書
【補正対象項目名】００２８
【補正方法】削除
【補正の内容】
【手続補正３０】
【補正対象書類名】明細書
【補正対象項目名】００２９
【補正方法】変更
【補正の内容】
【００２９】
本発明によれば、好適に遊技領域または演出領域の拡張を図ることができる。